(57)【要約】      （修正有）【課題】太陽電池発電、風力発電、水車発電は単独ではコスト高となっているため、太陽電池発電と風車発電と水車発電を集約して設置して、設備費の経済化とクリーンな発電の効率化を提供する。【解決手段】水面に、タンク１を２個設置して、その上部に、太陽電池発電２と風車発電３と水車発電４を集約して設置して、設備費の経済化とクリーンな発電の効率化を提供する。又、タンク１の内部に、メタンガスの原料を入れて、密封して、メタンガスの発生を得る、そのメタンガスでメタンガス火力発電を稼働して、電力の安定供給をする。タンク１、２個の間に定置網７を設置して、定置網７内部に潮流に乗って侵入してきた、、魚８を取り込む、そしてその魚８を収獲する。タンク１の側面に、海草、や藻、や、ごかい、を養殖して魚の餌にして、魚の繁殖を促して食糧不足に対応する。【選択図】図１
2015169205.tif 000002
【特許請求の範囲】
【請求項１】
水面（海洋）に設置する、タンク（１）の２個、の上部に、シリコン等を用いて光を科学反応して電気に変換する太陽電池発電（２）と風力発電（３）を設置する、タンク（１）を２個設置して、その間に水車（４）を設ける、タンク（１）の上部に発電機（５）を設置する、潮流で、水車を回転して、水車の回転を発電機５で電気に変換する、タンク１の内部にメタンガスの原料（家畜の糞、鮫、深海魚、酒焼酎カス、オカラ、コンビニ売れ残り食糧品、海草、間伐材、等）を入れて包む、時間が経過したら腐敗してタンク（１）の内部に、メタンガスが発生して、タンク（１）の内部にメタンガスを蓄積する、海洋の波でタンク（１）を揺するので、メタンガス、の発生が促進される、これが本発明のメタンガス製法の特徴である、このようにして得られた、蓄積していたメタンガスで、海上か、又はメタンガスを搬送して、陸上でメタンガス火力発電を稼働する、メタンガス発生後の残材は肥料にする、太陽電池発電（２）、風力発電（３）、水車発電（４）、メタンガス火力発電（６）、の四者の発電から構成されて肥料を得ることをを特徴とした、クリーン複合発電とメタンガス製法と肥料製法。
【請求項２】
請求項１に記載する、タンク（１）の２個に定置網（７）を連結して、魚（８）を２個のタンクの間と水車（４）の下を潮流で流通して定置網（７）の内部に取り込みその魚（８）を収穫する、ことを特徴とした、クリーン複合発電とメタンガス製法と肥料製法と漁業法。
【発明の詳細な説明】
【技術分野】
【０００１】クリーン発電ととメタンガス製法と肥料製法と漁業法に関する。
【背景技術】
【０００２】従来の発電は、水力発電、石油火力発電、石炭火力発電、天然ガス火力発電、原子力発電、太電池発電、風力発電、波力発電、地熱発電、等が主に実用化かされている。メタンガス、肥料、漁業、等は、省略くする。【特許文献】
【０００３】
【特許文献１】特会開２００５−３３７２２２
【発明の概要】
【発明が解決しようとする課題】
【０００４】従来の、石油火力発電や石炭火力発電や天然ガス火力発電は電力源が円安で高騰している、又、有限である、又、有害なＣＯ２等を排出するので、問題である。水力発電は新規新設の余地が少ない。原子力発電は．地震や津波で大きい被害（例、福島原子力発電）を被る、又発電後の核の最終処理が問題である。政府は、原発可能なかぎりり縮小、であるから、原子力発電の代替え持続可能なクリーンな発電の開発が重要課題である、太陽電池発電や風力発電は単独ではコスト高となっている。人口が増加して、食糧の不足が懸念され、特に寿司の世界的普及で魚、貝、海草、等の不足が世界的に深刻化している。
【課題を解決するための手段】
【０００５】
2015169205.tif 000003
【発明の効果】
【０００６】本発明は、以上説明したように構成されているので、以下に記載されたような効果を奏する、上記３発電を１ヶ所に集約することで、設備の効率化ができるので、クリーンな発電の大きな経済的効果が提供できる。タンクで家畜の糞、コンビニの廃食糧、海草、焼酎カス、おから、鮫、等で効率的に、経済的にメタンガスを製法できて、メタンガス製法後の残材は肥料にする、得たメタンガスで、メタンスガス火力発電をすることで経済的な、安定した電力が供給できる。タンクに定置網を連結して、経済的に漁業ができる。タンクの側面に海草や藻が生えて、ごかい、が宿りそれが稚魚の餌となり魚類が繁殖する。又、タンクに網を吊るしてその網で、海苔、わかめ、等の養殖ができる。。魚食糧不足対策となる、本発明の、タンク１が１発電所のフロートなり、２メタンガス発生器となり、３集魚器となり、４養殖器（漁礁）となる四役を果たすことができて、とても恩恵が高くそれが、本発明の主旨である。
【図面の簡単な説明】
【０００７】
【図１】本発明の平面図である。
【発明を実施するための形態】
【０００８】以下、本発明の実施の形態を図１に基づいて説明する。
【０００９】図１においては、海上にタンク１を２個設置した上部に太陽電池発電２と風力発電３と水車発電４を効率良く集約して設置して、スペース設備コストの節約をする、タンク１内部にメタンガスの原料（海草、家畜の糞、酒、焼酎カス、オカラ、食べ残し、鮫、深海魚、等）入れて、密封してメタンガスの放出生産をする、メタンガス発生後の残材は肥料にする、そのメタンガスでメタンガス火力発電６をタンク１の上部か、または、メタンガスを搬送して、陸上部で稼働する。タンク１外部に網を吊るして、その網に海苔、わかめ等を養殖する、タンク１の２個に定置網７を連結して、その定置網７内に魚８をタンク１の２個の間と水車の下部を流入してきて、その魚８を収穫する。
【符号の説明】
【００１０】１      タンク２      太陽電池３      風車発電４      水車５      発電機６      メタンガス火力発電７      定置網８      魚９      メタンガスパイプ１０    バルブ１１    煙突
【図１】
2015169205.tif 000004
【手続補正書】
【提出日】平成26年5月27日(2014.5.27)
【手続補正１】
【補正対象書類名】明細書
【補正対象項目名】０００６
【補正方法】変更
【補正の内容】
【０００６】本発明は、以上説明したように構成されているので、以下に記載されたような効果を奏する、上記四発電を一か所に集約構成することで、設備費の効率化ができるので、クリーンな発電の大きな経済効果が提供できる。
タンク１で、コンビニの廃食糧、海草、酒、焼酎カス、オカラ、鮫、家畜の糞、間伐材、等で効果的に経済的にメタンガスが製法できて得たメタンガスでメタンガス火力発電を稼働することで経済的な安定した電力供給ができる。
メタンガス製法後の残原料は肥料にする。
タンク１に定置網７を連結して、経済的に漁業ができる。
タンク１の外部側面に海草や藻が生えてごかいが宿りそれが稚魚の餌となり魚類が繁殖する。
又タンク１に網をつるして、その網で、ワカメ、牡蠣、貝、等の養殖ができる。
タンク１は、１発電所のフロート、２メタンガス発生器、３集魚器、４早水器、５肥料製法器６養殖器（漁礁）の六役を果たすことができて、とても恩恵がたかくこれが本発明の主旨である。
【手続補正書】
【提出日】平成26年6月25日(2014.6.25)
【手続補正１】
【補正対象書類名】明細書
【補正対象項目名】００１０
【補正方法】変更
【補正の内容】
【００１０】１      タンク２      太陽電池発電３      水力発電４      水車５      発電機６      メタガス火力発電７      定置網８      魚９      メタンガスパイプ１０    バルブ１１    煙突